【手続補正書】
【提出日】平成19年10月5日(2007.10.5)
【手続補正１】
【補正対象書類名】特許請求の範囲
【補正対象項目名】全文
【補正方法】変更
【補正の内容】
【特許請求の範囲】
【請求項１】
第１光源から出射される第１波長λ１の第１光束を、保護基板厚ｔ１の第１光情報記録媒体の情報記録面に集光スポットを形成することにより、情報の再生及び／又は記録を行い、第２光源から出射される第２波長λ２（λ１＜λ２）の第２光束を、保護基板厚ｔ２（ｔ１≦ｔ２）の第２光情報記録媒体の情報記録面に集光スポットを形成することにより、情報の再生及び／又は記録を行い、第３光源から出射される第３波長λ３（λ２＜λ３）の第３光束を、保護基板厚ｔ３（ｔ２＜ｔ３）の第３光情報記録媒体の情報記録面に集光スポットを形成することにより、情報の再生及び／又は記録を行う光ピックアップ装置の対物光学素子において、 
前記対物光学素子は、前記第１乃至第３光情報記録媒体に対して共通に用いられる対物光学素子であって、第１位相構造と第２位相構造の２つの位相構造を有するとともに、少なくとも一面が非球面である、１群構成の対物光学素子であり、
前記第１光束乃至前記第３光束の何れか１つの光束の光利用効率が５０％以下であることを特徴とする対物光学素子。 
【請求項２】
前記光利用効率が５０％以下となる光束は前記第３波長であって、前記第１光束及び前記第２光束の光利用効率がともに７５％以上であることを特徴とする請求項１に記載の対物光学素子。 
【請求項３】
前記第１位相構造は、光軸を含む断面形状が階段状とされたパターンを同心円状に配列し、所定のレベル面の個数毎に、そのレベル面数に対応した段数分の高さだけ段をシフトさせた重畳型回折構造であり、該重畳型回折構造は、前記第１光束と前記第３光束を回折せず、前記第２光束を回折させるような回折作用の波長選択性を有することを特徴とする請求項１又は２に記載の対物光学素子。
【請求項４】
前記重畳型回折構造の１つ分の段差により前記第１光束に付加される光路差は、２×λ１であることを特徴とする請求項３に記載の対物光学素子。 
【請求項５】
前記所定のレベル面数は５であることを特徴とする請求項４に記載の対物光学素子。 
【請求項６】
前記第１位相構造は、鋸歯状回折構造であり、前記第１光束が前記鋸歯回折構造に入射した場合に発生する回折光のうち最大の回折光量を有する回折次数をｄｏｒ１、前記第２光束が前記鋸歯回折構造に入射した場合に発生する回折光のうち最大の回折光量を有する回折次数をｄｏｒ２、前記第３光束が前記鋸歯回折構造に入射した場合に発生する回折光のうち最大の回折光量を有する回折次数をｄｏｒ３としたとき、以下の式を満たすとともに、前記対物光学素子は、前記第１光束の前記ｄｏｒ１次回折光を前記第１光情報記録媒体の情報記録面に集光させ、前記第２光束の前記ｄｏｒ２次回折光を前記第２光情報記録媒体の情報記録面に集光させ、前記第３光束の前記ｄｏｒ３次回折光を前記第３光情報記録媒体の情報記録面に集光させることを特徴とする請求項１又は２に記載の対物光学素子。
ｄｏｒ１＞ｄｏｒ２≧ｄｏｒ３ 
但し、ｄｏｒ１は偶数である。 
【請求項７】
前記回折次数ｄｏｒ１が２であり、前記回折次数ｄｏｒ２が１であり、前記回折次数ｄｏｒ３が１であることを特徴とする請求項６に記載の対物光学素子。 
【請求項８】
前記第２位相構造は、光軸を含む断面形状が階段状とされたパターンを同心円状に配列し、所定のレベル面の個数毎に、そのレベル面数に対応した段数分の高さだけ段をシフトさせた重畳型回折構造であり、該重畳型回折構造は、前記第１光束と前記第２光束を回折せず、前記第３光束を回折させるような回折作用の波長選択性を有することを特徴とする請求項１乃至７の何れか一項に記載の対物光学素子。 
【請求項９】
前記重畳型回折構造の１つ分の段差により前記第１光束に付加される光路差は、５×λ１であることを特徴とする請求項８に記載の対物光学素子。 
【請求項１０】
前記所定のレベル面数は２であることを特徴とする請求項９に記載の対物光学素子。
【請求項１１】
前記第３光束が前記重畳型回折構造に入射した場合に、その光量の殆どは２つの回折光に分配され、前記対物光学素子は前記２つの回折光のうち、焦点位置が前記対物光学素子から遠い方の回折光を前記第３光情報記録媒体の情報記録面に集光させることを特徴とする請求項１０に記載の対物光学素子。 
【請求項１２】
前記第２位相構造は、鋸歯状回折構造であり、前記第１光束が前記鋸歯回折構造に入射した場合に発生する回折光のうち最大の回折光量を有する回折次数をｄｏｒ１’、前記第２光束が前記鋸歯回折構造に入射した場合に発生する回折光のうち最大の回折光量を有する回折次数をｄｏｒ２’、前記第３光束が前記鋸歯回折構造に入射した場合に発生する回折光のうち最大の回折光量を有する回折次数をｄｏｒ３’としたとき、以下の式を満たすとともに、前記対物光学素子は、前記第１光束の前記ｄｏｒ１’次回折光を前記第１光情報記録媒体の情報記録面に集光させ、前記第２光束の前記ｄｏｒ２’次回折光を前記第２光情報記録媒体の情報記録面に集光させ、前記第３光束の前記ｄｏｒ３’次回折光を前記第３光情報記録媒体の情報記録面に集光させることを特徴とする請求項１乃至７の何れか一項に記載の対物光学素子。 
ｄｏｒ１’＞ｄｏｒ２’≧ｄｏｒ３’ 
但し、ｄｏｒ１’は奇数である。 
【請求項１３】
前記回折次数ｄｏｒ１’が３であり、前記回折次数ｄｏｒ２’が２であり、前記回折次数ｄｏｒ３’が２であることを特徴とする請求項１２に記載の対物光学素子。 
【請求項１４】
前記第１位相構造は光源側の光学面上に形成され、前記第２位相構造は光情報記録媒体側の光学面上に形成されたことを特徴とする請求項１乃至１３の何れか一項に記載の対物光学素子。 
【請求項１５】
前記第１波長に対する設計倍率をｍ１、前記第２波長に対する設計倍率をｍ２、前記第３波長に対する設計倍率をｍ３としたとき、以下の式を満たすことを特徴とする請求項１乃至１４の何れか一項に記載の対物光学素子。 
ｍ１＝ｍ２＝０ 
−０．１５≦ｍ３≦０ 
【請求項１６】
転移点Ｔｇが４００℃以下である低融点ガラス製であることを特徴とする請求項１乃至１５の何れか一項に記載の対物光学素子。 
【請求項１７】
樹脂製であることを特徴とする請求項１乃至１５の何れか一項に記載の対物光学素子。 
【請求項１８】
ガラス製のレンズの表面に、樹脂層を貼り合わせてなり、前記樹脂層の表面に前記第１位相構造又は前記第２位相構造が形成されていることを特徴とする請求項１乃至１５の何れか一項に記載の対物光学素子。 
【請求項１９】
温度変化に伴う屈折率変化率の符号が前記樹脂とは反対であって、直径が３０ｎｍ以下である粒子を前記樹脂中に分散させていることを特徴とする請求項１７又は１８に記載の対物光学素子。 
【請求項２０】
第１光源から出射される第１波長λ１の第１光束を、保護基板厚ｔ１の第１光情報記録媒体の情報記録面に集光スポットを形成することにより、情報の再生及び／又は記録を行い、第２光源から出射される第２波長λ２（λ１＜λ２）の第２光束を、保護基板厚ｔ２（ｔ１≦ｔ２）の第２光情報記録媒体の情報記録面に集光スポットを形成することにより情報の再生及び／又は記録を行う光ピックアップ装置の対物光学素子において、 
前記対物光学素子は、前記第１乃及び第２光情報記録媒体に対して共通に用いられる対物光学素子であって、第１位相構造と第２位相構造の２つの位相構造を有するとともに、少なくとも一面が非球面である、１群構成の対物光学素子であり、
前記保護基板厚ｔ１と前記保護基板厚ｔ２の違いに起因する球面収差、又は、前記第１波長λ１と前記第２波長λ２の違いに起因する球面収差のうち、少なくとも一方を前記第１位相構造で補正し、 
前記第１波長λ１が±１０ｎｍの範囲内で変化した際に発生する球面収差、前記第１波長λ１が±１０ｎｍの範囲内で変化した際に発生する最良像点移動、環境温度が変化した際に発生する球面収差のうち、少なくとも１つを前記第２位相構造で補正することを特徴とする対物光学素子。 
【請求項２１】
前記第１位相構造は、光軸を含む断面形状が階段状とされたパターンを同心円状に配列し、所定のレベル面の個数毎に、そのレベル面数に対応した段数分の高さだけ段をシフトさせた重畳型回折構造であり、該重畳型回折構造は、前記第１光束を回折せず、前記第２光束を回折させるような回折作用の波長選択性を有することを特徴とする請求項２０に記載の対物光学素子。 
【請求項２２】
前記重畳型回折構造の１つ分の段差により前記第１光束に付加される光路差は、２×λ１であることを特徴とする請求項２１に記載の対物光学素子。 
【請求項２３】
前記所定のレベル面数は５であることを特徴とする請求項２２に記載の対物光学素子。
【請求項２４】
前記第１位相構造は、鋸歯状回折構造であり、前記第１光束が前記鋸歯回折構造に入射した場合に発生する回折光のうち最大の回折光量を有する回折次数をｄｏｒ１、前記第２光束が前記鋸歯回折構造に入射した場合に発生する回折光のうち最大の回折光量を有する回折次数をｄｏｒ２としたとき、以下の式を満たすとともに、前記対物光学素子は、前記第１光束の前記ｄｏｒ１次回折光を前記第１光情報記録媒体の情報記録面に集光させ、前記第２光束の前記ｄｏｒ２次回折光を前記第２光情報記録媒体の情報記録面に集光させることを特徴とする請求項２０に記載の対物光学素子。 
ｄｏｒ１＞ｄｏｒ２ 
但し、ｄｏｒ１は偶数である。 
【請求項２５】
前記回折次数ｄｏｒ１が２であり、前記回折次数ｄｏｒ２が１であることを特徴とする請求項２４に記載の対物光学素子。 
【請求項２６】
前記第２位相構造は、鋸歯状回折構造であり、前記第１光束が前記鋸歯回折構造に入射した場合に発生する回折光のうち最大の回折光量を有する回折次数をｄｏｒ１’、前記第２光束が前記鋸歯回折構造に入射した場合に発生する回折光のうち最大の回折光量を有する回折次数をｄｏｒ２としたとき、以下の式を満たすとともに、前記対物光学素子は、前記第１光束の前記ｄｏｒ１’次回折光を前記第１光情報記録媒体の情報記録面に集光させ、前記第２光束の前記ｄｏｒ２’次回折光を前記第２光情報記録媒体の情報記録面に集光させることを特徴とする請求項２０乃至２５の何れか一項に記載の対物光学素子。 
ｄｏｒ１’＞ｄｏｒ２’ 
【請求項２７】
前記回折次数ｄｏｒ１’が２であり、前記回折次数ｄｏｒ２’が１であることを特徴とする請求項２６に記載の対物光学素子。 
【請求項２８】
前記回折次数ｄｏｒ１’が５であり、前記回折次数ｄｏｒ２’が３であることを特徴とする請求項２６に記載の対物光学素子。 
【請求項２９】
前記回折次数ｄｏｒ１’が１０であり、前記回折次数ｄｏｒ２’が６であることを特徴とする請求項２６に記載の対物光学素子。 
【請求項３０】
前記第２位相構造は、光路差付与構造であり、ｎを自然数としたとき、該光路差付与構造により前記第１光束に付加される光路差は前記第１波長λ１の５ｎ倍であり、該光路差付与構造により前記第２光束に付加される光路差は前記第２波長λ２の３ｎ倍であることを特徴とする請求項２０乃至２５の何れか一項に記載の対物光学素子。 
【請求項３１】
前記第１位相構造は光源側の光学面上に形成され、前記第２位相構造は光情報記録媒体側の光学面上に形成されたことを特徴とする請求項２０乃至３０の何れか一項に記載の対物光学素子。 
【請求項３２】
前記第１波長に対する設計倍率をｍ１、前記第２波長に対する設計倍率をｍ２、前記第３波長に対する設計倍率をｍ３としたとき、以下の式を満たすことを特徴とする請求項２０乃至３１の何れか一項に記載の対物光学素子。 
ｍ１＝ｍ２＝０ 
【請求項３３】
転移点Ｔｇが４００℃以下である低融点ガラス製であることを特徴とする請求項２０乃至３２の何れか一項に記載の対物光学素子。 
【請求項３４】
樹脂製であることを特徴とする請求項２０乃至３２の何れか一項に記載の対物光学素子。 
【請求項３５】
ガラス製のレンズの表面に、樹脂層を貼り合わせてなり、前記樹脂層の表面に前記第１位相構造又は前記第２位相構造が形成されていることを特徴とする請求項２０乃至３２の何れか一項に記載の対物光学素子 
【請求項３６】
温度変化に伴う屈折率変化率の符号が前記樹脂とは反対であって、直径が３０ｎｍ以下である粒子を前記樹脂中に分散させていることを特徴とする請求項３４又は３５に記載の対物光学素子。 
【手続補正２】
【補正対象書類名】明細書
【補正対象項目名】発明の名称
【補正方法】変更
【補正の内容】
【発明の名称】対物光学素子
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】変更
【補正の内容】
【００３３】
重畳型回折構造は、マルチレベル構造、ＤＯＥ構造ともいい、例えば回折構造は、光学素子の光学機能面が光軸を中心とした複数の輪帯に分割されていて、この輪帯がそれぞれ鋸歯状に形成されているものであるが、この１つの鋸歯部に、さらに所定数の階段形状を設けている構造である。これにより、光学素子に波長選択性を持った回折作用を与えることができる。なお階段形状の段数や階段の高さ、幅などは、適宜設計可能である。具体的には、特開平９−３０６０１８号に記載されている。
【手続補正２６】
【補正対象書類名】明細書
【補正対象項目名】００３４
【補正方法】変更
【補正の内容】
【００３４】
「鋸歯状回折構造」とは、例えば少なくとも一方の光学機能面が光軸を中心とした複数の光学機能領域に分割され、該複数の光学機能領域のうちの少なくとも１つが、光軸を中心とした輪帯状の領域に分割され、かつ各輪帯に所定数の不連続な段差が設けられるとともに、光軸方向断面が鋸歯状の構造をいう。 
【手続補正２７】
【補正対象書類名】明細書
【補正対象項目名】００３５
【補正方法】変更
【補正の内容】
【００３５】
光路差付与構造は、ＮＰＳ（Ｎｏｎ Ｐｅｒｉｏｄｉｃ Ｓｕｒｆａｃｅ）構造、位相構造ともいう。 
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】削除
【補正の内容】
【手続補正３２】
【補正対象書類名】明細書
【補正対象項目名】００４０
【補正方法】削除
【補正の内容】
【手続補正３３】
【補正対象書類名】明細書
【補正対象項目名】００４１
【補正方法】削除
【補正の内容】
【手続補正３４】
【補正対象書類名】明細書
【補正対象項目名】００４２
【補正方法】削除
【補正の内容】
【手続補正３５】
【補正対象書類名】明細書
【補正対象項目名】００４３
【補正方法】削除
【補正の内容】
【手続補正３６】
【補正対象書類名】明細書
【補正対象項目名】００４４
【補正方法】削除
【補正の内容】
【手続補正３７】
【補正対象書類名】明細書
【補正対象項目名】００４５
【補正方法】削除
【補正の内容】
【手続補正３８】
【補正対象書類名】明細書
【補正対象項目名】００４６
【補正方法】削除
【補正の内容】
【手続補正３９】
【補正対象書類名】明細書
【補正対象項目名】００４７
【補正方法】削除
【補正の内容】
【手続補正４０】
【補正対象書類名】明細書
【補正対象項目名】００４８
【補正方法】削除
【補正の内容】
【手続補正４１】
【補正対象書類名】明細書
【補正対象項目名】００４９
【補正方法】削除
【補正の内容】
【手続補正４２】
【補正対象書類名】明細書
【補正対象項目名】００５０
【補正方法】削除
【補正の内容】
【手続補正４３】
【補正対象書類名】明細書
【補正対象項目名】００５１
【補正方法】削除
【補正の内容】
【手続補正４４】
【補正対象書類名】明細書
【補正対象項目名】００５２
【補正方法】削除
【補正の内容】
【手続補正４５】
【補正対象書類名】明細書
【補正対象項目名】００５３
【補正方法】削除
【補正の内容】
【手続補正４６】
【補正対象書類名】明細書
【補正対象項目名】００５４
【補正方法】削除
【補正の内容】
【手続補正４７】
【補正対象書類名】明細書
【補正対象項目名】００５５
【補正方法】削除
【補正の内容】
【手続補正４８】
【補正対象書類名】明細書
【補正対象項目名】００５６
【補正方法】削除
【補正の内容】
【手続補正４９】
【補正対象書類名】明細書
【補正対象項目名】００５７
【補正方法】削除
【補正の内容】
【手続補正５０】
【補正対象書類名】明細書
【補正対象項目名】００５８
【補正方法】削除
【補正の内容】
【手続補正５１】
【補正対象書類名】明細書
【補正対象項目名】００５９
【補正方法】削除
【補正の内容】
【手続補正５２】
【補正対象書類名】明細書
【補正対象項目名】００６０
【補正方法】削除
【補正の内容】
【手続補正５３】
【補正対象書類名】明細書
【補正対象項目名】００６１
【補正方法】削除
【補正の内容】
【手続補正５４】
【補正対象書類名】明細書
【補正対象項目名】００６２
【補正方法】削除
【補正の内容】
【手続補正５５】
【補正対象書類名】明細書
【補正対象項目名】００６３
【補正方法】削除
【補正の内容】
【手続補正５６】
【補正対象書類名】明細書
【補正対象項目名】００６４
【補正方法】削除
【補正の内容】
【手続補正５７】
【補正対象書類名】明細書
【補正対象項目名】００６５
【補正方法】削除
【補正の内容】
【手続補正５８】
【補正対象書類名】明細書
【補正対象項目名】００６６
【補正方法】削除
【補正の内容】
【手続補正５９】
【補正対象書類名】明細書
【補正対象項目名】００６７
【補正方法】削除
【補正の内容】
【手続補正６０】
【補正対象書類名】明細書
【補正対象項目名】００６８
【補正方法】削除
【補正の内容】
【手続補正６１】
【補正対象書類名】明細書
【補正対象項目名】００６９
【補正方法】削除
【補正の内容】
【手続補正６２】
【補正対象書類名】明細書
【補正対象項目名】００７０
【補正方法】削除
【補正の内容】
【手続補正６３】
【補正対象書類名】明細書
【補正対象項目名】００７１
【補正方法】削除
【補正の内容】
【手続補正６４】
【補正対象書類名】明細書
【補正対象項目名】００７２
【補正方法】削除
【補正の内容】
【手続補正６５】
【補正対象書類名】明細書
【補正対象項目名】００７３
【補正方法】削除
【補正の内容】
【手続補正６６】
【補正対象書類名】明細書
【補正対象項目名】００７４
【補正方法】削除
【補正の内容】
【手続補正６７】
【補正対象書類名】明細書
【補正対象項目名】００７５
【補正方法】削除
【補正の内容】
【手続補正６８】
【補正対象書類名】明細書
【補正対象項目名】００７６
【補正方法】削除
【補正の内容】
【手続補正６９】
【補正対象書類名】明細書
【補正対象項目名】００７７
【補正方法】削除
【補正の内容】
【手続補正７０】
【補正対象書類名】明細書
【補正対象項目名】００７８
【補正方法】削除
【補正の内容】
【手続補正７１】
【補正対象書類名】明細書
【補正対象項目名】００７９
【補正方法】削除
【補正の内容】
【手続補正７２】
【補正対象書類名】明細書
【補正対象項目名】００８０
【補正方法】削除
【補正の内容】
【手続補正７３】
【補正対象書類名】明細書
【補正対象項目名】００８１
【補正方法】削除
【補正の内容】
【手続補正７４】
【補正対象書類名】明細書
【補正対象項目名】００８２
【補正方法】削除
【補正の内容】
【手続補正７５】
【補正対象書類名】明細書
【補正対象項目名】００８３
【補正方法】削除
【補正の内容】
【手続補正７６】
【補正対象書類名】明細書
【補正対象項目名】００８４
【補正方法】変更
【補正の内容】
【００８４】
請求項１に記載の対物光学素子は、第１光源から出射される第１波長λ１の第１光束を、保護基板厚ｔ１の第１光情報記録媒体の情報記録面に集光スポットを形成することにより、情報の再生及び／又は記録を行い、第２光源から出射される第２波長λ２（λ１＜λ２）の第２光束を、保護基板厚ｔ２（ｔ１≦ｔ２）の第２光情報記録媒体の情報記録面に集光スポットを形成することにより、情報の再生及び／又は記録を行い、第３光源から出射される第３波長λ３（λ２＜λ３）の第３光束を、保護基板厚ｔ３（ｔ２＜ｔ３）の第３光情報記録媒体の情報記録面に集光スポットを形成することにより、情報の再生及び／又は記録を行う光ピックアップ装置の対物光学素子において、 
前記対物光学素子は、前記第１乃至第３光情報記録媒体に対して共通に用いられる対物光学素子であって、第１位相構造と第２位相構造の２つの位相構造を有するとともに、少なくとも一面が非球面である、１群構成の対物光学素子であり、
前記第１光束乃至前記第３光束の何れか１つの光束の光利用効率が５０％以下であることを特徴とする。 
【手続補正７７】
【補正対象書類名】明細書
【補正対象項目名】００８７
【補正方法】変更
【補正の内容】
【００８７】
請求項２に記載の対物光学素子は、請求項１に記載の発明において、前記光利用効率が５０％以下となる光束は前記第３波長であって、前記第１光束及び前記第２光束の光利用効率がともに７５％以上であることを特徴とする。 
【手続補正７８】
【補正対象書類名】明細書
【補正対象項目名】００８９
【補正方法】変更
【補正の内容】
【００８９】
請求項３に記載の対物光学素子は、請求項１又は２に記載の発明において、前記第１位相構造は、光軸を含む断面形状が階段状とされたパターンを同心円状に配列し、所定のレベル面の個数毎に、そのレベル面数に対応した段数分の高さだけ段をシフトさせた重畳型回折構造であり、該重畳型回折構造は、前記第１光束と前記第３光束を回折せず、前記第２光束を回折させるような回折作用の波長選択性を有することを特徴とする。 
【手続補正７９】
【補正対象書類名】明細書
【補正対象項目名】００９１
【補正方法】変更
【補正の内容】
【００９１】
請求項４に記載の対物光学素子は、請求項３に記載の発明において、前記重畳型回折構造の１つ分の段差により前記第１光束に付加される光路差は、２×λ１であることを特徴とするので、重畳型回折構造の１つ分の段差を、光路差換算で第１波長λ１の２倍に相当する深さに設定することで、何れの波長の光束に対しても高い回折効率（透過率）を確保できる。 
【手続補正８０】
【補正対象書類名】明細書
【補正対象項目名】００９２
【補正方法】変更
【補正の内容】
【００９２】
請求項５に記載の対物光学素子は、請求項４に記載の発明において、前記所定のレベル面数は５であることを特徴とする。重畳型回折構造では回折作用を受ける光束の回折効率は、１つ分の段差だけでなく、レベル面数にも依存する。このレベル面数を５に設定することで第２光束の回折効率を最大にすることが可能となる。
【手続補正８１】
【補正対象書類名】明細書
【補正対象項目名】００９３
【補正方法】変更
【補正の内容】
【００９３】
請求項６に記載の対物光学素子は、請求項１又は２に記載の発明において、前記第１位相構造は、鋸歯状回折構造であり、前記第１光束が前記鋸歯回折構造に入射した場合に発生する回折光のうち最大の回折光量を有する回折次数をｄｏｒ１、前記第２光束が前記鋸歯回折構造に入射した場合に発生する回折光のうち最大の回折光量を有する回折次数をｄｏｒ２、前記第３光束が前記鋸歯回折構造に入射した場合に発生する回折光のうち最大の回折光量を有する回折次数をｄｏｒ３としたとき、以下の式を満たすとともに、前記対物光学素子は、前記第１光束の前記ｄｏｒ１次回折光を前記第１光情報記録媒体の情報記録面に集光させ、前記第２光束の前記ｄｏｒ２次回折光を前記第２光情報記録媒体の情報記録面に集光させ、前記第３光束の前記ｄｏｒ３次回折光を前記第３光情報記録媒体の情報記録面に集光させることを特徴とする。 
ｄｏｒ１＞ｄｏｒ２≧ｄｏｒ３ 
但し、ｄｏｒ１は偶数である。 
【手続補正８２】
【補正対象書類名】明細書
【補正対象項目名】００９４
【補正方法】変更
【補正の内容】
【００９４】
第１位相構造として請求項６に記載のような回折次数の波長選択性を有する鋸歯型回折構造を使用しても良く、何れの波長の光束に対して高い回折効率を有するとともに、第２光束に対する球面収差を良好に補正可能となる。 
【手続補正８３】
【補正対象書類名】明細書
【補正対象項目名】００９５
【補正方法】変更
【補正の内容】
【００９５】
請求項７に記載の対物光学素子は、請求項６に記載の発明において、前記回折次数ｄｏｒ１が２であり、前記回折次数ｄｏｒ２が１であり、前記回折次数ｄｏｒ３が１であることを特徴とする。第１光束の回折次数ｄｏｒ１を２とし、第２光束の回折次数ｄｏｒ２を１とし、第３光束の回折次数ｄｏｒ３を１とすると、第２光束に対する球面収差の補正特性を最良にすることができる。 
【手続補正８４】
【補正対象書類名】明細書
【補正対象項目名】００９６
【補正方法】変更
【補正の内容】
【００９６】
請求項８に記載の対物光学素子は、請求項１乃至７の何れか一項に記載の発明において、前記第２位相構造は、光軸を含む断面形状が階段状とされたパターンを同心円状に配列し、所定のレベル面の個数毎に、そのレベル面数に対応した段数分の高さだけ段をシフトさせた重畳型回折構造であり、該重畳型回折構造は、前記第１光束と前記第２光束を回折せず、前記第３光束を回折させるような回折作用の波長選択性を有することを特徴とする。 
【手続補正８５】
【補正対象書類名】明細書
【補正対象項目名】００９７
【補正方法】変更
【補正の内容】
【００９７】
第１位相構造として請求項８に記載のような回折作用の波長選択性を有する重畳型回折構造を使用すると、第３光束の位相を独立に制御できるので、第３光束に対する球面収差を良好に補正可能である。結果として、第３光情報記録媒体に対する記録／再生特性に優れる対物光学素子を提供できる。 
【手続補正８６】
【補正対象書類名】明細書
【補正対象項目名】００９８
【補正方法】変更
【補正の内容】
【００９８】
請求項９に記載の対物光学素子は、請求項８に記載の発明において、前記重畳型回折構造の１つ分の段差により前記第１光束に付加される光路差は、５×λ１であることを特徴とする。
【手続補正８７】
【補正対象書類名】明細書
【補正対象項目名】０１００
【補正方法】変更
【補正の内容】
【０１００】
請求項１０に記載の対物光学素子は、請求項９に記載の発明において、前記所定のレベル面数は２であることを特徴とする。重畳型回折構造のレベル面数を２に設定することで、第３光束の回折効率は４０％程度となり、３つの波長間の倍率の差を小さく保持しつつ、第３光束に対する球面収差を補正することが可能となる。これにより、３つの波長の光束間で対物光学素子以外の光学素子も共通化することができ、光ピックアップ装置の小型化や低コスト化を達成できる。 
【手続補正８８】
【補正対象書類名】明細書
【補正対象項目名】０１０１
【補正方法】変更
【補正の内容】
【０１０１】
請求項１１に記載の対物光学素子は、請求項１０に記載の発明において、前記第３光束が前記重畳型回折構造に入射した場合に、その光量の殆どは２つの回折光に分配され、前記対物光学素子は前記２つの回折光のうち、焦点位置が前記対物光学素子から遠い方の回折光を前記第３光情報記録媒体の情報記録面に集光させることを特徴とする。このようにレベル面数が設定された重畳型回折構造では、第３光束の光量の殆どは±１次回折光に振り分けられる。この２つの回折光のうち、焦点位置が対物光学素子から遠い方の回折光の球面収差を補正するように重畳型回折構造の回折ピッチを決定すると、第３光情報記録媒体に対する作動距離を十分に確保可能となる
【手続補正８９】
【補正対象書類名】明細書
【補正対象項目名】０１０２
【補正方法】変更
【補正の内容】
【０１０２】
請求項１２に記載の対物光学素子は、請求項１乃至７の何れか一項に記載の発明において、前記第２位相構造は、鋸歯状回折構造であり、前記第１光束が前記鋸歯回折構造に入射した場合に発生する回折光のうち最大の回折光量を有する回折次数をｄｏｒ１’、前記第２光束が前記鋸歯回折構造に入射した場合に発生する回折光のうち最大の回折光量を有する回折次数をｄｏｒ２’、前記第３光束が前記鋸歯回折構造に入射した場合に発生する回折光のうち最大の回折光量を有する回折次数をｄｏｒ３’としたとき、以下の式を満たすとともに、前記対物光学素子は、前記第１光束の前記ｄｏｒ１’次回折光を前記第１光情報記録媒体の情報記録面に集光させ、前記第２光束の前記ｄｏｒ２’次回折光を前記第２光情報記録媒体の情報記録面に集光させ、前記第３光束の前記ｄｏｒ３’次回折光を前記第３光情報記録媒体の情報記録面に集光させることを特徴とする。 
ｄｏｒ１’＞ｄｏｒ２’≧ｄｏｒ３’ 
但し、ｄｏｒ１’は奇数である。 
【手続補正９０】
【補正対象書類名】明細書
【補正対象項目名】０１０３
【補正方法】変更
【補正の内容】
【０１０３】
第２位相構造として請求項１２に記載のような回折次数の波長選択性を有する鋸歯型回折構造を使用しても良く、第１光束及び第２光束に対して高い回折効率を有するとともに、第３光束に対する球面収差を良好に補正可能となる。結果として、第３光情報記録媒体に対する記録／再生特性に優れる対物光学素子を提供できる。
【手続補正９１】
【補正対象書類名】明細書
【補正対象項目名】０１０４
【補正方法】変更
【補正の内容】
【０１０４】
請求項１３に記載の対物光学素子は、請求項１２に記載の発明において、前記回折次数ｄｏｒ１’が３であり、前記回折次数ｄｏｒ２’が２であり、前記回折次数ｄｏｒ３’が２であることを特徴とする。第１光束の回折次数ｄｏｒ１’を３とし、第２光束の回折次数ｄｏｒ２’を２とし、第３光束の回折次数ｄｏｒ３’を１とすると、第３光束の回折効率は４５％程度となり、３つの波長間の倍率の差を小さく保持しつつ、第３光束に対する球面収差を補正することが可能となる。これにより、３つの波長の光束間で対物光学素子以外の光学素子も共通化することができ、光ピックアップ装置の小型化や低コスト化を達成できる。 
【手続補正９２】
【補正対象書類名】明細書
【補正対象項目名】０１０５
【補正方法】変更
【補正の内容】
【０１０５】
請求項１４に記載の対物光学素子は、請求項１乃至１３の何れか一項に記載の発明において、前記第１位相構造は光源側の光学面上に形成され、前記第２位相構造は光情報記録媒体側の光学面上に形成されたことを特徴とする。これにより、補正する球面収差量が、第２位相構造よりも多い第１位相構造の輪帯ピッチを大きく確保することが可能となる。 
【手続補正９３】
【補正対象書類名】明細書
【補正対象項目名】０１０６
【補正方法】変更
【補正の内容】
【０１０６】
請求項１５に記載の対物光学素子は、請求項１乃至１４の何れか一項に記載の発明において、前記第１波長に対する設計倍率をｍ１、前記第２波長に対する設計倍率をｍ２、前記第３波長に対する設計倍率をｍ３としたとき、以下の式を満たすことを特徴とする。 
ｍ１＝ｍ２＝０ 
−０．１５≦ｍ３≦０ 
【手続補正９４】
【補正対象書類名】明細書
【補正対象項目名】０１０８
【補正方法】変更
【補正の内容】
【０１０８】
請求項１６に記載の対物光学素子は、請求項１乃至１５の何れか一項に記載の発明において、転移点Ｔｇが４００℃以下である低融点ガラス製であることを特徴とする。かかる低融点ガラスを用いることで、成形金型の長寿命化を図れるとともに、溶融時の粘性が低いので成形により位相構造を良好に転写することが可能になる。このような転移点Ｔｇが４００℃以下の低融点ガラスとしては、住田光学社製のＫ−ＰＧ３２５，Ｋ−ＰＧ３７５がある。 
【手続補正９５】
【補正対象書類名】明細書
【補正対象項目名】０１０９
【補正方法】変更
【補正の内容】
【０１０９】
請求項１７に記載の対物光学素子は、請求項１乃至１５の何れか一項に記載の発明において、樹脂製であることを特徴とする。前記対物光学素子に樹脂を用いることにより、安定した性能で安価に大量生産することが可能となるとともに、軽量であるので、フォーカス駆動やトラッキング駆動用のアクチュエータの消費電力が少なくて済み、アクチュエータを小型にできる。また、溶融状態の粘性が低いので、成形により位相構造を良好に転写することが可能になる。
【手続補正９６】
【補正対象書類名】明細書
【補正対象項目名】０１１０
【補正方法】変更
【補正の内容】
【０１１０】
請求項１８に記載の対物光学素子は、請求項１乃至１５の何れか一項に記載の発明において、ガラス製のレンズの表面に、樹脂層を貼り合わせてなり、前記樹脂層の表面に前記第１位相構造又は前記第２位相構造が形成されていることを特徴とする。ガラスの母材を用いることで、温度特性に優れる対物光学素子を提供できる。尚、樹脂層として使用する材料としては、紫外線硬化樹脂や熱硬化性樹脂が製造上適している。
【手続補正９７】
【補正対象書類名】明細書
【補正対象項目名】０１１１
【補正方法】変更
【補正の内容】
【０１１１】
請求項１９に記載の対物光学素子は、請求項１７又は１８に記載の発明において、温度変化に伴う屈折率変化率の符号が前記樹脂とは反対であって、直径が３０ｎｍ以下である粒子を前記樹脂中に分散させていることを特徴とする。 
【手続補正９８】
【補正対象書類名】明細書
【補正対象項目名】０１１３
【補正方法】変更
【補正の内容】
【０１１３】
請求項２０に記載の対物光学素子は、第１光源から出射される第１波長λ１の第１光束を、保護基板厚ｔ１の第１光情報記録媒体の情報記録面に集光スポットを形成することにより、情報の再生及び／又は記録を行い、第２光源から出射される第２波長λ２（λ１＜λ２）の第２光束を、保護基板厚ｔ２（ｔ１≦ｔ２）の第２光情報記録媒体の情報記録面に集光スポットを形成することにより情報の再生及び／又は記録を行う光ピックアップ装置の対物光学素子において、 
前記対物光学素子は、前記第１乃及び第２光情報記録媒体に対して共通に用いられる対物光学素子であって、第１位相構造と第２位相構造の２つの位相構造を有するとともに、少なくとも一面が非球面である、１群構成の対物光学素子であり、
前記保護基板厚ｔ１と前記保護基板厚ｔ２の違いに起因する球面収差、又は、前記第１波長λ１と前記第２波長λ２の違いに起因する球面収差のうち、少なくとも一方を前記第１位相構造で補正し、 
前記第１波長λ１が±１０ｎｍの範囲内で変化した際に発生する球面収差、前記第１波長λ１が±１０ｎｍの範囲内で変化した際に発生する最良像点移動、環境温度が変化した際に発生する球面収差のうち、少なくとも１つを前記第２位相構造で補正することを特徴とする。
【手続補正９９】
【補正対象書類名】明細書
【補正対象項目名】０１１５
【補正方法】変更
【補正の内容】
【０１１５】
請求項２１に記載の対物光学素子は、請求項２０に記載の発明において、前記第１位相構造は、光軸を含む断面形状が階段状とされたパターンを同心円状に配列し、所定のレベル面の個数毎に、そのレベル面数に対応した段数分の高さだけ段をシフトさせた重畳型回折構造であり、該重畳型回折構造は、前記第１光束を回折せず、前記第２光束を回折させるような回折作用の波長選択性を有することを特徴とする。 
【手続補正１００】
【補正対象書類名】明細書
【補正対象項目名】０１１６
【補正方法】変更
【補正の内容】
【０１１６】
第１位相構造として請求項２１に記載のような回折作用の波長選択性を有する重畳型回折構造を使用すると、第２光束の位相を独立に制御できるので、第２光束に対する球面収差を良好に補正可能である。結果として、第２光情報記録媒体に対する記録／再生特性に優れる対物光学素子を提供できる。 
【手続補正１０１】
【補正対象書類名】明細書
【補正対象項目名】０１１７
【補正方法】変更
【補正の内容】
【０１１７】
請求項２２に記載の対物光学素子は、請求項２１に記載の発明において、前記重畳型回折構造の１つ分の段差により前記第１光束に付加される光路差は、２×λ１であることを特徴とするので、重畳型回折構造の１つ分の段差を、光路差換算で第１波長λ１の２倍に相当する深さに設定することで、何れの波長の光束に対しても高い回折効率（透過率）を確保できる。 
【手続補正１０２】
【補正対象書類名】明細書
【補正対象項目名】０１１８
【補正方法】変更
【補正の内容】
【０１１８】
請求項２３に記載の対物光学素子は、請求項２２に記載の発明において、前記所定のレベル面数は５であることを特徴とする。重畳型回折構造では回折作用を受ける光束の回折効率は、１つ分の段差だけでなく、レベル面数にも依存する。このレベル面数を５に設定することで第２光束の回折効率を最大にすることが可能となる。 
【手続補正１０３】
【補正対象書類名】明細書
【補正対象項目名】０１１９
【補正方法】変更
【補正の内容】
【０１１９】
請求項２４に記載の対物光学素子は、請求項２０に記載の発明において、前記第１位相構造は、鋸歯状回折構造であり、前記第１光束が前記鋸歯回折構造に入射した場合に発生する回折光のうち最大の回折光量を有する回折次数をｄｏｒ１、前記第２光束が前記鋸歯回折構造に入射した場合に発生する回折光のうち最大の回折光量を有する回折次数をｄｏｒ２としたとき、以下の式を満たすとともに、前記対物光学素子は、前記第１光束の前記ｄｏｒ１次回折光を前記第１光情報記録媒体の情報記録面に集光させ、前記第２光束の前記ｄｏｒ２次回折光を前記第２光情報記録媒体の情報記録面に集光させることを特徴とする。 
ｄｏｒ１＞ｄｏｒ２ 
但し、ｄｏｒ１は偶数である。 
【手続補正１０４】
【補正対象書類名】明細書
【補正対象項目名】０１２０
【補正方法】変更
【補正の内容】
【０１２０】
第１位相構造として請求項２４に記載のような回折次数の波長選択性を有する鋸歯型回折構造を使用しても良く、何れの波長の光束に対して高い回折効率を有するとともに、第２光束に対する球面収差を良好に補正可能となる。 
【手続補正１０５】
【補正対象書類名】明細書
【補正対象項目名】０１２１
【補正方法】変更
【補正の内容】
【０１２１】
請求項２５に記載の対物光学素子は、請求項２４に記載の発明において、前記回折次数ｄｏｒ１が２であり、前記回折次数ｄｏｒ２が１であることを特徴とする。第１光束の回折次数ｄｏｒ１を２とし、第２光束の回折次数ｄｏｒ２を１とすると、第２光束に対する球面収差の補正特性を最良にすることができる。 
【手続補正１０６】
【補正対象書類名】明細書
【補正対象項目名】０１２２
【補正方法】変更
【補正の内容】
【０１２２】
請求項２６に記載の対物光学素子は、請求項２０乃至２５の何れか一項に記載の発明において、前記第２位相構造は、鋸歯状回折構造であり、前記第１光束が前記鋸歯回折構造に入射した場合に発生する回折光のうち最大の回折光量を有する回折次数をｄｏｒ１’、前記第２光束が前記鋸歯回折構造に入射した場合に発生する回折光のうち最大の回折光量を有する回折次数をｄｏｒ２としたとき、以下の式を満たすとともに、前記対物光学素子は、前記第１光束の前記ｄｏｒ１’次回折光を前記第１光情報記録媒体の情報記録面に集光させ、前記第２光束の前記ｄｏｒ２’次回折光を前記第２光情報記録媒体の情報記録面に集光させることを特徴とする。 
ｄｏｒ１’＞ｄｏｒ２’ 
【手続補正１０７】
【補正対象書類名】明細書
【補正対象項目名】０１２３
【補正方法】変更
【補正の内容】
【０１２３】
第２位相構造として請求項２６に記載のような回折次数の波長選択性を有する鋸歯型回折構造を使用すると、第１光束及び第２光束に対して高い回折効率を確保できる。具体的には、請求項２７から請求項２９に記載のような回折次数の組み合わせを使用すると良い。
【手続補正１０８】
【補正対象書類名】明細書
【補正対象項目名】０１２４
【補正方法】変更
【補正の内容】
【０１２４】
請求項２７に記載の対物光学素子は、請求項２６に記載の発明において、前記回折次数ｄｏｒ１’が２であり、前記回折次数ｄｏｒ２’が１であることを特徴とする。 
【手続補正１０９】
【補正対象書類名】明細書
【補正対象項目名】０１２５
【補正方法】変更
【補正の内容】
【０１２５】
請求項２８に記載の対物光学素子は、請求項２６に記載の発明において、前記回折次数ｄｏｒ１’が５であり、前記回折次数ｄｏｒ２’が３であることを特徴とする。 
【手続補正１１０】
【補正対象書類名】明細書
【補正対象項目名】０１２６
【補正方法】変更
【補正の内容】
【０１２６】
請求項２９に記載の対物光学素子は、請求項２６に記載の発明において、前記回折次数ｄｏｒ１’が１０であり、前記回折次数ｄｏｒ２’が６であることを特徴とする。
【手続補正１１１】
【補正対象書類名】明細書
【補正対象項目名】０１２７
【補正方法】変更
【補正の内容】
【０１２７】
請求項３０に記載の対物光学素子は、請求項２０乃至２５の何れか一項に記載の発明において、前記第２位相構造は、光路差付与構造であり、ｎを自然数としたとき、該光路差付与構造により前記第１光束に付加される光路差は前記第１波長λ１の５ｎ倍であり、該光路差付与構造により前記第２光束に付加される光路差は前記第２波長λ２の３ｎ倍であることを特徴とする。 
【手続補正１１２】
【補正対象書類名】明細書
【補正対象項目名】０１２８
【補正方法】変更
【補正の内容】
【０１２８】
第２位相構造として請求項３０に記載のような付加光路差の波長選択性を有する光路差付与構造を使用してよい。一般的に、光路差付与構造は鋸歯型回折構造よりも輪帯ピッチを大きく確保することが可能であるので、光利用効率が高い対物光学素子を提供可能である。
【手続補正１１３】
【補正対象書類名】明細書
【補正対象項目名】０１２９
【補正方法】変更
【補正の内容】
【０１２９】
請求項３１に記載の対物光学素子は、請求項２０乃至３０の何れか一項に記載の発明において、前記第１位相構造は光源側の光学面上に形成され、前記第２位相構造は光情報記録媒体側の光学面上に形成されたことを特徴とする。これにより、補正する球面収差量が、第２位相構造よりも多い第１位相構造の輪帯ピッチを大きく確保することが可能となる。 
【手続補正１１４】
【補正対象書類名】明細書
【補正対象項目名】０１３０
【補正方法】変更
【補正の内容】
【０１３０】
請求項３２に記載の対物光学素子は、請求項２０乃至３１の何れか一項に記載の発明において、前記第１波長に対する設計倍率をｍ１、前記第２波長に対する設計倍率をｍ２、前記第３波長に対する設計倍率をｍ３としたとき、以下の式を満たすことを特徴とする。 
ｍ１＝ｍ２＝０ 
【手続補正１１５】
【補正対象書類名】明細書
【補正対象項目名】０１３２
【補正方法】変更
【補正の内容】
【０１３２】
請求項３３に記載の対物光学素子は、請求項２０乃至３２の何れか一項に記載の発明において、転移点Ｔｇが４００℃以下である低融点ガラス製であることを特徴とする。かかる低融点ガラスを用いることで、成形金型の長寿命化を図れるとともに、溶融時の粘性が低いので成形により位相構造を良好に転写することが可能になる。このような転移点Ｔｇが４００℃以下の低融点ガラスとしては、住田光学社製のＫ−ＰＧ３２５，Ｋ−ＰＧ３７５がある。 
【手続補正１１６】
【補正対象書類名】明細書
【補正対象項目名】０１３３
【補正方法】変更
【補正の内容】
【０１３３】
請求項３４に記載の対物光学素子は、請求項２０乃至３２の何れか一項に記載の発明において、樹脂製であることを特徴とする。前記対物光学素子に樹脂を用いることにより、安定した性能で安価に大量生産することが可能となるとともに、軽量であるので、フォーカス駆動やトラッキング駆動用のアクチュエータの消費電力が少なくて済み、アクチュエータを小型にできる。また、溶融状態の粘性が低いので、成形により位相構造を良好に転写することが可能になる。
【手続補正１１７】
【補正対象書類名】明細書
【補正対象項目名】０１３４
【補正方法】変更
【補正の内容】
【０１３４】
請求項３５に記載の対物光学素子は、請求項２０乃至３２の何れか一項に記載の発明において、ガラス製のレンズの表面に、樹脂層を貼り合わせてなり、前記樹脂層の表面に前記第１位相構造又は前記第２位相構造が形成されていることを特徴とする。ガラスの母材を用いることで、温度特性に優れる対物光学素子を提供できる。尚、樹脂層として使用する材料としては、紫外線硬化樹脂や熱硬化性樹脂が製造上適している。
【手続補正１１８】
【補正対象書類名】明細書
【補正対象項目名】０１３５
【補正方法】変更
【補正の内容】
【０１３５】
請求項３６に記載の対物光学素子は、請求項３４又は３５に記載の発明において、温度変化に伴う屈折率変化率の符号が前記樹脂とは反対であって、直径が３０ｎｍ以下である粒子を前記樹脂中に分散させていることを特徴とする。 
【手続補正１１９】
【補正対象書類名】明細書
【補正対象項目名】０１３７
【補正方法】削除
【補正の内容】
【手続補正１２０】
【補正対象書類名】明細書
【補正対象項目名】０１３８
【補正方法】削除
【補正の内容】
【手続補正１２１】
【補正対象書類名】明細書
【補正対象項目名】０１３９
【補正方法】削除
【補正の内容】
【手続補正１２２】
【補正対象書類名】明細書
【補正対象項目名】０１４０
【補正方法】削除
【補正の内容】
【手続補正１２３】
【補正対象書類名】明細書
【補正対象項目名】０１４１
【補正方法】削除
【補正の内容】
【手続補正１２４】
【補正対象書類名】明細書
【補正対象項目名】０１４２
【補正方法】削除
【補正の内容】
【手続補正１２５】
【補正対象書類名】明細書
【補正対象項目名】０１４３
【補正方法】削除
【補正の内容】
【手続補正１２６】
【補正対象書類名】明細書
【補正対象項目名】０１４５
【補正方法】削除
【補正の内容】
【手続補正１２７】
【補正対象書類名】明細書
【補正対象項目名】０１４６
【補正方法】削除
【補正の内容】
【手続補正１２８】
【補正対象書類名】明細書
【補正対象項目名】０１４７
【補正方法】削除
【補正の内容】
【手続補正１２９】
【補正対象書類名】明細書
【補正対象項目名】０１４８
【補正方法】削除
【補正の内容】
【手続補正１３０】
【補正対象書類名】明細書
【補正対象項目名】０１４９
【補正方法】削除
【補正の内容】
【手続補正１３１】
【補正対象書類名】明細書
【補正対象項目名】０１５０
【補正方法】削除
【補正の内容】
【手続補正１３２】
【補正対象書類名】明細書
【補正対象項目名】０１５１
【補正方法】削除
【補正の内容】
【手続補正１３３】
【補正対象書類名】明細書
【補正対象項目名】０１５２
【補正方法】削除
【補正の内容】
【手続補正１３４】
【補正対象書類名】明細書
【補正対象項目名】０１５３
【補正方法】削除
【補正の内容】
【手続補正１３５】
【補正対象書類名】明細書
【補正対象項目名】０１５４
【補正方法】削除
【補正の内容】
【手続補正１３６】
【補正対象書類名】明細書
【補正対象項目名】０１５５
【補正方法】削除
【補正の内容】
【手続補正１３７】
【補正対象書類名】明細書
【補正対象項目名】０１５６
【補正方法】削除
【補正の内容】
【手続補正１３８】
【補正対象書類名】明細書
【補正対象項目名】０１５７
【補正方法】削除
【補正の内容】
【手続補正１３９】
【補正対象書類名】明細書
【補正対象項目名】０１５８
【補正方法】削除
【補正の内容】
【手続補正１４０】
【補正対象書類名】明細書
【補正対象項目名】０１５９
【補正方法】削除
【補正の内容】
【手続補正１４１】
【補正対象書類名】明細書
【補正対象項目名】０１６０
【補正方法】削除
【補正の内容】
【手続補正１４２】
【補正対象書類名】明細書
【補正対象項目名】０１６１
【補正方法】削除
【補正の内容】
【手続補正１４３】
【補正対象書類名】明細書
【補正対象項目名】０１６２
【補正方法】削除
【補正の内容】
【手続補正１４４】
【補正対象書類名】明細書
【補正対象項目名】０１６３
【補正方法】削除
【補正の内容】
【手続補正１４５】
【補正対象書類名】明細書
【補正対象項目名】０１６４
【補正方法】削除
【補正の内容】
【手続補正１４６】
【補正対象書類名】明細書
【補正対象項目名】０１６５
【補正方法】削除
【補正の内容】
【手続補正１４７】
【補正対象書類名】明細書
【補正対象項目名】０１６６
【補正方法】削除
【補正の内容】
【手続補正１４８】
【補正対象書類名】明細書
【補正対象項目名】０１６７
【補正方法】削除
【補正の内容】
【手続補正１４９】
【補正対象書類名】明細書
【補正対象項目名】０１６８
【補正方法】削除
【補正の内容】
【手続補正１５０】
【補正対象書類名】明細書
【補正対象項目名】０１６９
【補正方法】削除
【補正の内容】
【手続補正１５１】
【補正対象書類名】明細書
【補正対象項目名】０１７０
【補正方法】削除
【補正の内容】
【手続補正１５２】
【補正対象書類名】明細書
【補正対象項目名】０１７１
【補正方法】削除
【補正の内容】
【手続補正１５３】
【補正対象書類名】明細書
【補正対象項目名】０１７２
【補正方法】削除
【補正の内容】
【手続補正１５４】
【補正対象書類名】明細書
【補正対象項目名】０１７３
【補正方法】削除
【補正の内容】
【手続補正１５５】
【補正対象書類名】明細書
【補正対象項目名】０１７４
【補正方法】削除
【補正の内容】
【手続補正１５６】
【補正対象書類名】明細書
【補正対象項目名】０１７５
【補正方法】削除
【補正の内容】
【手続補正１５７】
【補正対象書類名】明細書
【補正対象項目名】０１７６
【補正方法】削除
【補正の内容】
【手続補正１５８】
【補正対象書類名】明細書
【補正対象項目名】０１７７
【補正方法】削除
【補正の内容】
【手続補正１５９】
【補正対象書類名】明細書
【補正対象項目名】０１７８
【補正方法】削除
【補正の内容】